(57)【要約】【課題】ユーザが所望の画像データについて、出力条件に基づいたプレビュー表示を開始するまでに掛かる時間を短くできる画像データ出力装置を提供すること。【解決手段】ユーザによって設定された開始ページに対応する原稿が読取部１３によって読み取られ、画像記憶部１５に記憶されると、設定された原稿の開始ページから終了ページに対応する、画像記憶部１５に記憶された画像データに対して、順次、出力条件記憶部１９ｂに記憶された設定出力条件に基づいたプレビュー表示用の画像処理を施して、プレビュー画像を生成し、自動的にプレビュー表示する。【選択図】図１
2010147675.tif 000002
【特許請求の範囲】
【請求項１】
原稿載置台に載置された原稿束から自動原稿搬送部により搬送される原稿を読み取り、画像データを生成する読取部と、当該画像データを記憶する画像記憶部と、
前記原稿束の内の、プレビュー表示対象とする原稿の開始ページ及び終了ページを設定する設定部とを備え、
前記自動原稿搬送部により搬送された原稿のページ数をカウントし、前記開始ページに対応する原稿が前記読取部によって読み取られ、前記画像記憶部に記憶されると、前記設定された原稿の開始ページから終了ページに対応する、前記画像記憶部に記憶された画像データに対して順次プレビュー表示用の画像処理を施して自動的にプレビュー表示することを特徴とする画像データ出力装置。
【請求項２】
前記画像データのプレビュー表示中に、ユーザから出力指示を受けた場合には、前記画像記憶部に記憶された全画像データを出力することを特徴とする請求項１に記載の画像データ出力装置。
【請求項３】
前記画像データの出力は、前記画像データの印刷、ファイリング、又は送信であることを特徴とする請求項２に記載の画像データ出力装置。
【発明の詳細な説明】
【技術分野】
【０００１】
本発明は、画像データを印刷等により出力する前に、その印刷出力状態等を表示するプレビュー表示機能を備える画像データ出力装置に関し、特に、原稿の所望のページをプレビューできる画像データ出力装置に関する。
【０００２】
複合機等の画像データ出力装置として、原稿をスキャナで読み取ることによって生成された当該原稿に係る原稿画像データ（以下、画像データ）について、印刷や送信等により出力する前に、当該画像データをプレビュー表示する機能を備えるものが提案されている（例えば、特許文献１参照）。
【０００３】
従来の装置では、モノクロ／カラー印刷、倍率等の出力条件が設定されプレビュー表示が指示されると、例えば、原稿束の１ページ目から原稿の読み取りを開始し、読み取った原稿に係る画像データを画像記憶部に記憶する。全ての原稿についてこの読み取り処理を行った後、記憶した画像データの全てに対して、設定された出力条件に基づく画像処理を行い、当該処理終了後の画像データについてプレビュー表示を行う。
【特許文献１】特開２００３−８７５６０号公報
【発明の開示】
【発明が解決しようとする課題】
【０００４】
しかし、この形態では、大量の原稿を読み取る場合、全原稿を読み取り、読み取られた全原稿の画像データについて、出力条件に基づく画像処理を行うのでプレビュー表示するまでに時間がかかる。特に、原稿の所望のページをプレビュー表示する場合においても、全原稿の画像データについて画像処理を行わなければならない。
【０００５】
本発明は、上述のような実状に鑑みてなされたものであり、ユーザが所望の画像データについて、出力条件に基づいたプレビュー表示を開始するまでに掛かる時間を短くできる画像データ出力装置を提供することを目的とする。
【課題を解決するための手段】
【０００６】
第１の技術手段は、原稿載置台に載置された原稿束から自動原稿搬送部により搬送される原稿を読み取り、画像データを生成する読取部と、当該画像データを記憶する画像記憶部と、前記原稿束の内の、プレビュー表示対象とする原稿の開始ページ及び終了ページを設定する設定部とを備え、前記自動原稿搬送部により搬送された原稿のページ数をカウントし、前記開始ページに対応する原稿が前記読取部によって読み取られ、前記画像記憶部に記憶されると、前記設定された原稿の開始ページから終了ページに対応する、前記画像記憶部に記憶された画像データに対して順次プレビュー表示用の画像処理を施して自動的にプレビュー表示することを特徴とする画像データ出力装置である。
【０００７】
第２の技術手段は、第１の技術手段において、前記画像データのプレビュー表示中に、ユーザから出力指示を受けた場合には、前記画像記憶部に記憶された全画像データを出力することを特徴とする。
【０００８】
第３の技術手段は、第２の技術手段において、前記画像データの出力は、前記画像データの印刷、ファイリング、又は送信であることを特徴とする。
【発明の効果】
【０００９】
本発明によれば、読み取り対象の原稿のうちユーザによりプレビュー表示範囲として設定された開始ページの原稿の読み取りが終了すると、当該原稿のプレビュー画像が表示されるので、ユーザが確認したいページのプレビュー表示を開始するまでに掛かる時間を短くできる。
【発明を実施するための最良の形態】
【００１０】
本発明の一実施形態に係る画像データ出力装置の概略について、図１及び図２を用いて説明する。
図１は、本発明の一実施形態に係る画像データ出力装置の構成例を示す概略ブロック図で、図示例の画像データ出力装置は、複写動作等に用いられる印刷機能やファクシミリ送信機能等を有する複合機として構成されている。また、図２は、図１の複合機におけるタッチパネル及びキー操作部の一例を示す外観図である。
【００１１】
デジタル複合機として構成された画像データ出力装置（以下、デジタル複合機）１は、タッチパネル１０、パネル制御部１１、記録部１２、読取部（スキャナ）１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、及びモデム２４を備えている。
【００１２】
タッチパネル１０又はキー操作部２０は、原稿の読み取り処理、印刷処理等の処理の中から所望の処理を選択するための操作、その処理を開始するための操作、各処理を実行する際に必要となる設定を行うための操作（選択操作又は入力操作）等を受け付ける。タッチパネル１０及びキー操作部２０は、図２で例示するような操作パネル３０として構成してもよい。キー操作部２０は、原稿読込開始等の指示を受付けるスタートキー２０ａ等、操作するために必要なキー群を備えている。
【００１３】
タッチパネル１０は、液晶ディスプレイ等の表示部とタッチセンサ等の操作受付部として機能する。
パネル制御部１１は、タッチパネル１０における表示や操作受付部の制御を行う。
【００１４】
タッチパネル１０へ表示される、ＧＵＩ（Graphical User Interface）画像は、パネル制御部１１の内部メモリ又は制御用メモリ１９に、読み出し可能に格納される。
【００１５】
タッチパネル１０には、プレビュー画像生成部１６ａで生成され、パネル制御部１１に出力されたプレビュー画像が、パネル制御部１１によりＧＵＩ画像に組み込まれた状態で表示される。
また、本デジタル複合機１は、パンチ処理、ステープル処理等の仕上げ処理を記録紙に施すことができるようになっているので、仕上げ処理を施した場合の出力結果をユーザが確認できるよう、パネル制御部１１が、プレビュー画像生成部１６ａが生成したプレビュー画像と共に、仕上がり状態を示す情報（例えば、印刷を行う用紙に施すステープルやパンチ穴に関する情報）をタッチパネル１に表示させる制御を行う。
【００１６】
記録部１２は、電子写真方式等の印刷方式を採用したプリンタ装置を備え、画像記憶部１５に記憶された画像データ等を、記録用紙に記録（つまり印刷）する。
【００１７】
読取部１３は、図示しない原稿載置台に載置された原稿束から原稿を一枚ずつ搬送する自動原稿搬送部（ＡＤＦ：Auto Document Feeder）１３ａを有しており、ＡＤＦ１３ａにより搬送される原稿をＣＣＤ（Charge Coupled Device）等を用いて１ページずつ読み取り、読み取った原稿に係るＲＧＢ（Ｒ：赤、Ｇ：緑、Ｂ：青）の画像データを生成し、画像処理部１６に出力する。また、読取部１３は、図示しないカウンタを有しており、このカウンタやＡＤＦ１３ａの用紙検知センサ等を用いて、何ページ目の原稿を読み取っているかや、原稿の総ページ数をカウントできるようになっている。
【００１８】
フォーマット変換部１４は、読み取られた原稿の画像データや外部から受信した画像データを、ＰＤＦ（Portable Document Format）等の所定のファイルフォーマットに変換する。
【００１９】
画像記憶部１５は、ハードディスク等で構成され、読取部１３から画像処理部１６等を経た画像データを原稿ページ毎に記憶する。
【００２０】
画像処理部１６は、対象となる画像データに対して様々な画像処理を行う。例えば、読取部１３からのＲＧＢ画像データに対するＡ／Ｄ変換等を含む原稿読取時の画像処理（原稿画像処理）を行う。原稿画像処理後の画像データは、画像記憶部１５に記憶される。また、画像処理部１６は、読み取って画像記憶部１５に記憶された画像データの印刷や外部装置への送信の際（出力の際）、設定された出力条件等に基づき、当該画像データに印刷用画像処理やファックス送信用画像処理を行う。この印刷用画像処理やファックス送信用画像処理には、出力形態に応じた画質調整処理等が含まれる。なお、設定出力条件は、制御用メモリ１９の出力条件記憶部１９ｂに記憶されている。
【００２１】
また、画像処理部１６は、プレビュー画像生成部１６ａを有する。
プレビュー画像生成部１６ａは、例えば、ユーザによって設定された開始ページに対応する原稿が読取部１３によって読み取られ、当該原稿の画像データが画像記憶部１５に記憶されると、設定された原稿の開始ページから終了ページに対応する、画像記憶部１５に記憶された画像データに対して、順次、出力条件記憶部１９ｂに記憶された設定出力条件に基づいたプレビュー表示用の画像処理を施して、プレビュー画像を生成し、自動的にプレビュー表示する。
【００２２】
プレビュー表示用画像処理には、タッチパネル１０の表示特性に基づいて画像データを変換する色補正処理や、印刷倍率に応じた画像拡大／縮小処理等がある。生成されたプレビュー画像はパネル制御部１１に出力され、タッチパネル１０に表示されるよう制御される。
【００２３】
なお、本デジタル複合機１は、画像データに特定の文字や記号（例えば、「極秘」の文字）等の付加情報を付加して出力することができるようになっているので、画像処理部１６やプレビュー画像生成部１６ａが、出力用の画像データやプレビュー画像を生成する際に、付加情報の画像データを付加先の画像データの付加位置に合成する処理も行う。これら合成処理もプレビュー表示用画像処理に含まれる。
【００２４】
符号化／復号部１７は、画像データを符号化により圧縮すると共に、符号化画像データを元の画像データに復号（伸張）する。例えば、符号化／復号部１７は、必要に応じて、原稿の画像データの符号化、その符号化データの復号、外部から受信した符号化画像データの復号等を行う。符号化／復号部１７では、ファイリングで一般的に使用されているＪＰＥＧ（Joint Photographic Experts Group）等、用途に応じた符号化方式を用いることができる。
【００２５】
メイン制御部１８は、ＣＰＵ（Central Processing Unit）等で構成され、制御用メモリ１９は、ＲＯＭ（Read Only Memory）等の不揮発性メモリ等で構成される。制御用メモリ１９内にはメイン制御部１８から読み出し可能なように、プログラム（ファームウェア）と各種設定データとが格納されている。また、制御用バッファ２２はＲＡＭ（Random Access Memory）等の揮発性メモリで構成される。
【００２６】
上述のプログラムは、本発明に係る原稿の読み取りに係る命令をはじめ、プレビュー画像の生成、表示に係る命令、ファクシミリ画像や電子メール等の生成・送信・受信等に係る命令、印刷に係る命令等の、メイン制御部１８が実行する制御プログラムである。このプログラムは、メイン制御部１８により、制御用バッファ２２上に展開され、制御用バッファ２２を一時保存（作業）用のデータ領域として、各種設定データを適宜参照しながら実行される。
【００２７】
また、制御用メモリ１９は、プレビュー範囲記憶部１９ａと出力条件記憶部１９ｂとを有する。
プレビュー範囲記憶部１９ａは、ユーザによって設定された、プレビュー表示する原稿の開始ページ及び終了ページを記憶する。
出力条件記憶部１９ｂは、ユーザによって設定された、モノクロ印刷／カラー印刷条件、印刷倍率に関する出力条件、所謂Ｎ−ｕｐ印刷の設定情報等を記憶する。
【００２８】
ＬＡＮ制御部２１は、ＬＡＮと接続され、インターネット経由による電子メールデータの通信及びインターネットファクシミリ（インターネットＦＡＸ）の通信を行う。
【００２９】
モデム２４は、ファクシミリ通信が可能なファクシミリモデムから構成されており、電話回線と接続され、またＮＣＵ２３と直接的に接続されている。ＮＣＵ２３は、必要に応じてモデム２４を公衆電話回線網と接続する。このような構成により、画像記憶部１５に記憶された画像データを外部へファクシミリ送信すること等が可能となる。
【００３０】
以下、図３〜図８を参照して、印刷（コピー）時の部分プレビュー表示の際にデジタル複合機１のタッチパネル１０に表示される画面の例を、そのときのデジタル複合機１の動作と共に説明する。
【００３１】
図３は、図１及び図２で説明したデジタル複合機の標準画面の例を示す図である。図３では、デジタル複合機１においてタッチパネル１０に表示されるＧＵＩ画像の一例（ＧＵＩ画像４０とする）を示している。ＧＵＩ画像４０は、デジタル複合機１の電源が投入されたり、デジタル複合機１がリセットされたときにタッチパネル１０に表示される。このＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。
【００３２】
ＧＵＩ画像４０では、コピーを行うときの各種の条件設定が可能となっており、例えば、印刷倍率の設定を行うための倍率キー４４、パンチやステープル等の仕上げ処理の設定を行うための仕上げキー、その他コピー時の詳細設定を行うための特別機能キー４５等が表示されている。ＧＵＩ画像４０で表示されるキーを介して設定された印刷条件は、原稿読取開始時に制御用メモリ１９の出力条件記憶部１９ｂに記憶される。
また、ＧＵＩ画像４０では、読取部１３で読み取った原稿に係る画像データについて、設定された印刷条件に基づく印刷状態を、タッチパネル１０にプレビュー表示するためのプレビュー確認キー４６が表示されている。
【００３３】
図４は、図１及び図２で説明したデジタル複合機において、プレビューを開始する際の原稿読取開始時に表示される画面の例を示す図である。図４で示すＧＵＩ画像４７は、図３のＧＵＩ画像４０にポップアップ画像４８を組み込んだ画像であり、ＧＵＩ画像４０の表示中にプレビュー確認キー４６をＯＮに設定して反転させ、コピーを開始するスタートキー２０ａ（図２参照）を押下することで表示される。
【００３４】
ポップアップ画像４８には、プレビュー表示範囲を設定する際に操作されるＹＥＳキー４８ａと、プレビュー表示範囲を設定せずに通常のプレビュー表示を実行する際に操作されるＮＯキー４８ｂとが表示される。
【００３５】
図５は、図１及び図２で説明したデジタル複合機において、プレビュー表示範囲を設定する画面の例を示す図である。図５に示すＧＵＩ画像４９は、プレビュー表示範囲設定画面であり、図４のポップアップ画像４８のＹＥＳキー４８ａが押下された後に、図３のＧＵＩ画像４０に重ねてポップアップ画像５０が表示される。
【００３６】
ポップアップ画像５０では、原稿束内の原稿について、原稿ページ単位でプレビュー表示範囲を設定することができ、プレビュー表示範囲開始ページ及び同終了ページの入力欄５０ａ，５０ｂと、プレビュー表示範囲の設定を完了し読み取りを開始させるためのＯＫキー５０ｃが表示されている。ユーザは、タッチパネル１０に表示される入力欄５０ａを選択し、キー操作部２０のテンキー２０ｂを介して、原稿束の内の、プレビューで確認したい原稿の開始ページを入力し、さらに、入力欄５０ｂを選択し、同様にプレビューで確認したい原稿の終了ページを入力し、ＯＫボタン５０ｃを押下することでプレビュー表示範囲を設定することができる。
このように、タッチパネル１０及びキー操作部２０は、原稿束の内の、プレビュー表示対象とする原稿の開始ページ及び終了ページを設定する設定部として機能する。
【００３７】
また、ＯＫボタン５０ｃが押下されると、設定されたプレビュー表示範囲（プレビュー表示対象とする原稿の開始ページ及び終了ページ）は、プレビュー範囲記憶部１９ａに記憶され、読取部１３は、原稿の読み取りを開始する。
【００３８】
その後、読取部１３が、ＡＤＦ１３ａにより一枚ずつ搬送される原稿を順次読み取り画像データを生成する。このとき、カウンタによって、読み取られた原稿の枚数がカウントされる。
そして、入力欄５０ａに入力したプレビュー表示の開始ページに対応する原稿が読取部１３によって読み取られ画像データが生成されると、プレビュー画像生成部１６は、前述したように、前記画像データからプレビュー画像用の画像データを生成する。そして、当該プレビュー画像用の画像データがタッチパネル１０に表示される。なお、このとき、原稿の読み取りが順次行われ、プレビュー画像生成部１６は、入力された原稿の開始ページから終了ページに対応する、プレビュー表示用の画像データを生成する。
【００３９】
図６は、プレビュー表示時に表示される画面の例を示す図である。
ＧＵＩ画像５１は、プレビュー表示画面であり、動作状態メッセージ５２として、プレビュー表示範囲が設定された「部分プレビュー表示」を行っていることを表示している。
なお、デジタル複合機１は、図４のポップアップ画像４８のＮＯキー４８ｂが押下された場合、部分プレビュー表示でない通常のプレビュー表示時に表示されるＧＵＩ画像（通常のプレビュー表示画面）を表示する。
【００４０】
ＧＵＩ画像５１の説明に戻る。
ＧＵＩ画像５１は、プレビュー画像５３をＧＵＩ画像に組み込んで表示したものであり、プレビュー画像５３は、設定された出力条件に基づく画像処理が施された画像データを基にしてプレビュー画像生成部１６ａにより生成されたものである。なお、前記画像データは、画像記憶部１５に記憶されている。
【００４１】
このＧＵＩ画像５１は、画像データの印刷状態を印刷時ページ毎に示している。
ＧＵＩ画像５１には、プレビュー表示している画像データを原稿ページ単位で変更するために、現在のページを原稿ページで示す現ページ情報５４と、原稿ページ単位でページ切換可能なページ切換キー５５と、原稿の総ページ数を原稿ページで示す総ページ数情報５６が表示されている。
【００４２】
プレビュー表示中に原稿が順次読み取られている場合には、原稿が読み取られる度に、総ページ数情報５６の総ページ数が随時更新される。
なお、図示は省略するが、Ｎ−ｕｐ印刷の場合は、現ページ情報５４が示す現在のページの画像データが、プレビュー画像のどの部分の画像に対応するかを示すために、プレビュー画像の対応部分に枠等を合成して表示するようにするとよい。
【００４３】
ＧＵＩ画像５１には、さらに、拡大／縮小キー５７、表示の回転キー５８等が表示されており、ユーザはこれらを適宜操作することによって、プレビュー画像５３を拡大／縮小或いは回転させて確認することができる。
また、ＧＵＩ画像５１には、仕上がり状態の表示を行わせるための仕上がり表示キー６０も表示されており、ユーザはこのキー６０を操作することによって、印刷後の仕上がり状態をプレビューとして確認することができる。ＧＵＩ画像５１では、仕上がり情報として、印刷した用紙にパンチ穴をあけたパンチ情報６１がプレビュー画像とともに表示されている。これにより、ユーザは仕上がり状態としてパンチ穴が開けられることと、そのパンチ穴の位置を確認することができる。
【００４４】
ＧＵＩ画像５１には、さらに、コピー開始キー６３が表示されており、ユーザはこのコピー開始キー６３を操作することによって、設定された印刷条件に基づき、画像記憶部１５に記憶された全画像データを印刷させることができる。
つまり、画像データのプレビュー表示中に、ユーザから出力指示（印刷指示など）を受けた場合には、画像記憶部１５に記憶された全画像データを出力することができる。
それ故、ユーザが、プレビュー画像を確認後、画像データの出力を指示すれば、原稿の読み取り中であっても、当該ユーザは、デジタル複合機から離れて別の作業を実行できるので、ユーザの利便性が向上する。
【００４５】
次に、デジタル複合機１において、コピー処理を例に挙げて、プレビュー表示及び印刷処理を実行する場合の処理について、図７及び図８を参照しながら説明する。図７及び図８は、図１及び図２のデジタル複合機のプレビュー表示及び印刷処理を実行する手順の一例を説明するためのフロー図である。
【００４６】
デジタル複合機１は、電源がＯＮになった場合、図３のＧＵＩ画像４０をタッチパネル１０に表示し、印刷条件を入力（設定）させる（ステップＳ１）。そして、ＧＵＩ画像４０のプレビュー確認キー４６をＯＮに設定した状態でコピーを開始するスタートキー２０ａ（図２参照）が押下され、プレビュー表示が指示される（ステップＳ２）と、設定された印刷条件を出力条件記憶部１９ｂに記憶する。また、図４のＧＵＩ画像４７を表示し、そのときの操作結果に基づき、プレビュー表示時のプレビュー表示範囲を設定するか否かを判定する（ステップＳ３）。
【００４７】
プレビュー表示範囲を設定しない場合（ステップＳ３，ＮＯ）、すなわち、ＧＵＩ画像４７のＮＯキー４８ｂが押下された場合、原稿全体がスキャン対象となり、出力条件記憶部１９ｂを参照し通常のプレビュー表示を行った後、同じく出力条件記憶部１９ｂを参照し印刷処理を行っていく。この読み取り範囲を設定しない場合の動作は、本発明の主要部ではないので、その詳細な説明は省略する。
【００４８】
一方、プレビュー表示範囲を設定する場合（ステップＳ３，ＹＥＳ）、すなわち、ＧＵＩ画像４７のＹＥＳキー４８ａが押下された場合、ＧＵＩ画像４９をタッチパネル１０に表示し、プレビュー表示する原稿の開始ページ及び終了ページを原稿ページで入力させ（ステップＳ４）、プレビュー表示範囲を設定させる。そして、ＧＵＩ画像４９のＯＫキー５０ｃが押下される等して、原稿の読み取り開始の指示を受けると（ステップＳ５）、設定されたプレビュー表示範囲をプレビュー範囲記憶部１９ａに記憶すると共に、ＡＤＦ１３ａの原稿載置台に原稿が載置されているか否か判定する（ステップＳ６）。原稿が載置されていない場合（ステップＳ６，ＮＯ）は、ＡＤＦ１３ａに原稿が載置されていないことをタッチパネル１０に表示すること等によりユーザに報知する（ステップＳ７）。
【００４９】
ＡＤＦ１３ａに原稿が載置されている場合（ステップＳ６，ＹＥＳ）は、読取部１３は、載置された原稿の読み取りを開始し、当該原稿の画像データを生成する（ステップＳ８）。
【００５０】
次に、設定された開始ページに対応する原稿が読取部１３によって読み取られ画像データが生成されると（ステップＳ９,ＹＥＳ）、プレビュー画像生成部１６ａは、出力条件記憶部１９ｂを参照して、当該画像データに基づくプレビュー画像を生成する（ステップＳ１０）。プレビュー画像の生成が終了すると、図６に例示したように、プレビュー表示を開始する（ステップＳ１１）。なお、プレビュー表示中にも、原稿の読み取り処理は実行される。
【００５１】
プレビュー範囲記憶部１９ａに記憶された開始ページに対応する原稿が読取部１３によって読み取られていない場合には（ステップＳ９，ＮＯ）、当該原稿が読み取られるまで、次の原稿を順次読み取る（ステップＳ１２）。
【００５２】
図６に示すＧＵＩ画像５１のコピー開始キー６３が操作され（ステップＳ１３，ＹＥＳ）、更に、全ての原稿が読取部１３によって読み取られて画像データが生成されると（ステップＳ１４，ＹＥＳ）、記録部１２は、当該画像データに対して印刷処理を実行する（ステップＳ１５）。
全ての原稿が読取部１３によって読み取られていない場合（ステップＳ１４，ＮＯ）、次の原稿を順次読み取る（ステップＳ１６）。
なお、全ての原稿が読取部１３によって読み取られていなくても、コピー開始キー６３が操作された時点で、画像記憶部１５に記憶されている画像データに対して印刷処理を実行してもよい。
【００５３】
このように、読み取り対象の原稿のうちユーザによりプレビュー表示範囲として設定された開始ページの原稿の読み取りが終了すると、即、当該原稿のプレビュー画像が表示されるので、プレビュー表示に掛かる時間を短くすることができる。
【００５４】
なお、実施例では、印刷出力の例で説明したが、出力形態はこれに限られず、電子ファイリング用の出力やＦＡＸ送信等の送信出力も行うことができる。
【図面の簡単な説明】
【００５５】
【図１】本発明の一実施形態に係る画像データ出力装置の構成例を示す概略ブロック図である。
【図２】図１のデジタル複合機におけるタッチパネル及びキー操作部の一例を示す外観図である。
【図３】図１及び図２で説明したデジタル複合機の標準画面の例を示す図である。
【図４】図１及び図２で説明したデジタル複合機において、プレビューを開始する際の原稿読取開始時に表示される画面の例を示す図である。
【図５】図１及び図２で説明したデジタル複合機において、プレビュー表示範囲を設定する画面の例を示す図である。
【図６】図１及び図２で説明したデジタル複合機において、プレビュー表示時に表示される画面の例を示す図である。
【図７】図１及び図２のデジタル複合機のプレビュー表示及び印刷処理を実行する手順の一例を説明するための第１フロー図である。
【図８】図１及び図２のデジタル複合機のプレビュー表示及び印刷処理を実行する手順の一例を説明するための第２フロー図である。
【符号の説明】
【００５６】
１…デジタル複合機、１０…タッチパネル、１１…パネル制御部、１２…記録部、１３…読取部、１３ａ…自動原稿搬送部、１４…フォーマット変換部、１５…画像記憶部、１６…画像処理部、１６ａ…プレビュー画像生成部、１７…符号化／復号部、１８…メイン制御部、１９…制御用メモリ、１９ａ…プレビュー範囲記憶部、１９ｂ…出力条件記憶部、２０…キー操作部、２０ａ…スタートキー、２０ｂ…テンキー、２１…ＬＡＮ制御部、２２…制御用バッファ、２３…ＮＣＵ、２４…モデム、３０…操作パネル。
【図１】
2010147675.tif 000003
【図２】
2010147675.tif 000004
【図３】
2010147675.tif 000005
【図４】
2010147675.tif 000006
【図５】
2010147675.tif 000007
【図６】
2010147675.tif 000008
【図７】
2010147675.tif 000009
【図８】
2010147675.tif 000010